(57)【要約】【課題】気象要素の実測値又は予測値に異常がある場合に、プラント設備の運転操作に関する支援情報をオペレータに提供する。【解決手段】異常値、異常発生時刻、履歴番号、履歴タググループ番号、履歴記録条件番号、及び支援情報を対応して記憶する支援情報ＤＢ１Ｊと、気象要素の予測値又は実測値に異常があると判定された場合に、入力された気象要素の予測値又は実測値とに発生した異常の種別を示す履歴番号、履歴タググループ番号、及び履歴記録条件番号と指定期間とに対応する気象要素の異常値、及び支援情報を支援情報ＤＢ１Jから読み出すＤＢＭＳ部１Ｌと、支援情報と指定期間内の気象要素の変動とを対応させて表示する表示部１Ｍとを備える。【選択図】      図１
2005157683.tif 000002
【特許請求の範囲】
【請求項１】
気象要素に異常が発生した場合におけるプラント設備の運転操作に関する支援情報を表示する支援情報表示装置であって、
前記プラント設備の設けられた領域内における気象要素の異常値、前記気象要素に異常が発生した異常発生時刻、前記気象要素の異常の種別を識別するための異常種別識別情報、及び前記プラント設備の運転操作に関する支援情報を対応して記憶する支援情報記憶手段と、
通信ネットワークを介して送信された気象要素の予測値又は実測値を受信する気象要素受信手段と、
前記気象要素受信手段により受信された気象要素の予測値又は実測値と、所定のしきい値とを比較し、異常の有無を判定する異常判定手段と、
前記異常判定手段による判定結果が前記気象要素の予測値又は実測値の異常有りを示す場合に、外部から異常種別識別情報と相異なる２つの異常発生時刻で指定される指定期間とが入力されたとき、当該異常種別識別情報と指定期間とに対応する気象要素の全ての異常値と支援情報とを前記支援情報記憶手段から読み出す支援情報読み出し手段と、
前記支援情報読み出し手段により読み出された支援情報と前記読み出された気象要素の全ての異常値の前記指定期間内における変動とを対応して表示する支援情報表示手段と
を備えた支援情報表示装置。
【請求項２】
気象要素に異常が発生した場合におけるプラント設備の運転操作に関する支援情報を表示する支援情報表示装置にインストールされたプログラムであって、
前記支援情報表示装置のコンピュータを、
通信ネットワークを介して受信された気象要素の予測値又は実測値と、所定のしきい値とを比較し、異常の有無を判定する異常判定手段、
前記異常判定手段による判定結果が前記気象要素の予測値又は実測値の異常有りを示す場合に、外部から異常種別識別情報と相異なる２つの異常発生時刻で指定される指定期間とが入力されたとき、当該異常種別識別情報と指定期間とに対応する気象要素の全ての異常値と支援情報とを前記プラント設備の設けられた領域内における気象要素の異常値、前記気象要素に異常が発生した異常発生時刻、前記気象要素の異常の種別を識別するための異常種別識別情報、及び前記プラント設備の運転操作に関する支援情報を対応して記憶する支援情報記憶手段から読み出す支援情報読み出し手段、
前記支援情報読み出し手段により読み出された支援情報と前記読み出された気象要素の全ての異常値の前記指定期間内における変動とを対応して表示手段に表示させる表示制御手段
として機能させるためのプログラム。
【発明の詳細な説明】
【技術分野】
【０００１】
本発明は、通信ネットワークを介して受信した気象要素の予測値又は実測値に基づいて、監視対象のプラント設備の運転操作に関する支援情報をオペレータに提供する支援情報表示装置及びプログラムに関する。
【背景技術】
【０００２】
従来、気象要素の予測値又は実測値の変化をプラント設備の監視制御に適用する装置としては、対象領域の降雨を予測する降雨予測装置と、この降雨予測装置を用いてプラント内の熱バランスを保つようにしたプラント計装システムとが開示されている（特許文献１参照）。
【特許文献１】特開平７−２２５２８４号公報
【発明の開示】
【発明が解決しようとする課題】
【０００３】
しかしながら、この技術は、対象となる気象要素が降水量だけであるので、他の気象要素を対象とした場合に、そのまま適用することは出来ない。
【０００４】
一般に、プラント設備である上下水道、産業プラント等の運転操作の形態は、降水量だけでなく、他の気象要素、例えば、外気温度、風速、及び湿度等の気象要素によっても様々に変動する。
【０００５】
このような気象要素の変動に対応して、オペレータがプラント設備に対して適切な運転操作を行うには、大変な熟練を必要とする。
【０００６】
従って、対象のプラント設備の運転操作に関しては、オペレータの熟練度に依存するところが大きく、効率化のために対象のプラント設備の少人数化を図る場合、熟練したオペレータが少なくなると、対象のプラント設備の運転操作に支障をきたす可能性がある。
【０００７】
特に、プラント設備の存在する領域内における気象要素の予測値又は実測値に異常がある場合には、熟練者が少ないとプラント設備を安全に運転操作することが難しい。
【０００８】
また、対象プラントの存在する領域内における気象要素の予測値又は実測値に異常がある場合に、熟練者でなくても、対象プラント設備の運転操作を容易にするように、対象のプラント設備の運転操作に関する支援情報を表示する装置は、現在知られていない。
【０００９】
本発明者の考察によれば、プラント設備の管理コストを削減する観点から、気象要素の予測値又は実測値に異常がある場合に、プラント設備の運転操作に関する支援情報をオペレータに提供可能なように表示する装置に関する要望が高まっている。
【００１０】
そこで、本発明は、上記事情を考慮してなされたものであり、気象要素の予測値又は実測値に異常がある場合に、過去に同様の異常が発生した場合におけるプラント設備の運転操作に関する支援情報をオペレータに提供することが可能な支援情報表示装置及びプログラムを提供することを目的とする。
【課題を解決するための手段】
【００１１】
本発明の骨子は、プラント設備のある領域内における気象要素の異常値、異常発生時刻、気象要素に発生した異常の種別を示す異常種別識別情報、及びプラント設備の運転操作に関する支援情報を対応付けた構成により、気象要素の予測値又は実測値に異常がある場合に、過去に同様の異常が発生した場合におけるプラント設備の運転操作に関する支援情報をオペレータに提供するという効果を達成することにある。
【００１２】
さて、以上のような本発明の骨子は、具体的には以下のような手段を講じることにより実現される。
【００１３】
本発明の一態様に係る支援情報表示装置は、気象要素に異常が発生した場合におけるプラント設備の運転操作に関する支援情報を表示する支援情報表示装置であって、プラント設備の設けられた領域内における気象要素の異常値、気象要素に異常が発生した異常発生時刻、気象要素の異常の種別を識別するための異常種別識別情報、及びプラント設備の運転操作に関する支援情報を対応して記憶する支援情報記憶手段と、通信ネットワークを介して送信された気象要素の予測値又は実測値を受信する気象要素受信手段と、気象要素受信手段により受信された気象要素の予測値又は実測値と、所定のしきい値とを比較し、異常の有無を判定する異常判定手段と、異常判定手段による判定結果が気象要素の予測値又は実測値の異常有りを示す場合に、外部から異常種別識別情報と相異なる２つの異常発生時刻で指定される指定期間とが入力されたとき、当該異常種別識別情報と指定期間とに対応する気象要素の全ての異常値と支援情報とを支援情報記憶手段から読み出す支援情報読み出し手段と、支援情報読み出し手段により読み出された支援情報と読み出された気象要素の全ての異常値の指定期間内における変動とを対応して表示する支援情報表示手段とを備えた支援情報表示装置である。
【００１４】
このような構成によれば、異常判定手段による判定結果が気象要素の予測値又は実測値に異常有りを示す場合に、外部から外部から異常種別識別情報と相異なる２つの異常発生時刻で指定される指定期間とが入力されたとき、支援情報読み出し手段によって、異常種別識別情報と指定期間とに対応する気象要素の全ての異常値と支援情報とが支援情報記憶手段から読み出され、読み出された支援情報と気象要素の全ての異常値の指定期間内における変動とが支援情報表示手段によって対応して表示されるので、気象要素の予測値又は実測値に異常がある場合に、過去に同様の異常が発生した場合におけるプラント設備の運転操作に関する支援情報をオペレータに提供することが出来る。
【００１５】
なお、上記発明は、「装置」の発明として表現したが、これに限らず、「方法」又は「プログラム」といった他の発明として表現してもよいことは言うまでもない。
【発明の効果】
【００１６】
本発明によれば、気象要素の予測値又は実測値に異常がある場合に、過去に同様の異常が発生した場合におけるプラント設備の運転操作に関する支援情報をオペレータに提供することを可能にする支援情報表示装置及びプログラムを提供出来る。
【発明を実施するための最良の形態】
【００１７】
以下、本発明の一実施の形態に関して、図面を用いて説明する。
【００１８】
図１は、本発明の一実施の形態に係る支援情報表示装置１の機能ブロック図である。
【００１９】
本実施の形態に係る支援情報表示装置１は、気象要素の過去の異常値、気象要素に異常が発生した異常発生時刻、気象要素の値に発生した異常の種別を示す識別情報である履歴番号、及びプラント設備の運転操作に対するコメント（支援情報）等が対応して記憶された後述する支援情報ＤＢ１Ｊを有した装置である。
【００２０】
この支援情報表示装置１は、主としてオペレータの操作により、気象要素に発生した異常の種別を示す識別情報である履歴番号と支援情報の提供要求との組が入力された場合に、入力された気象要素に発生した異常の種別を示す異常種別識別情報に対応するコメント（支援情報）を表示する装置である。
【００２１】
本実施の形態に係る支援情報表示装置１は、図示しないインターネット又はイーサーネット若しくはイントラネット等の通信ネットワークを介して気象庁又は民間の気象要素に関するデータを提供する団体の有する図示しないサーバ装置に接続されている。
【００２２】
そして、この支援情報表示装置１は、図示しないサーバ装置から通信ネットワークを介して送信される気象要素に関する気象データ、例えば領域のＩＤ、気象要素の種別、予測値フラグ、気象要素の予測値又は実測値、及び時刻の組を受信している。
【００２３】
更に、この支援情報表示装置１は、通信ネットワークを介して監視対象である図示しないプラント設備にも接続されている。
【００２４】
この支援情報表示装置１は、監視対象である図示しないプラント設備に設けられた各センサから図示しない通信ネットワークを介して送信される領域のＩＤ、センサのＩＤ、センサの位置情報、プロセス値、及び時刻の組を受信している。
【００２５】
本実施の形態に係る支援情報表示装置１は、地図情報ＤＢ１Ａと、画面ファイル記憶部１Ｂと、気象情報受信部１Ｃと、気象情報ＤＢ１Ｄと、プロセス値受信部１Ｅと、プロセス値ＤＢ１Ｆと、しきい値データ記憶部１Ｇと、第１の記録条件ＤＢ１Ｈと、第２の記録条件ＤＢ１Ｉと、支援情報ＤＢ１Ｊと、データ入力部１Ｋと、ＤＢＭＳ部１Ｌと、表示部１Ｍとから構成される。
【００２６】
なお、本装置は、例えば記録媒体又は通信ネットワークを介してインストールされた若しくは製造時に書き込まれたプログラムに基づいて動作が制御されるコンピュータによって実現される。
【００２７】
地図情報ＤＢ１Ａには、所定の領域毎のＩＤと、各領域に対応する地図情報のファイルとが対応して記憶されている。
【００２８】
画面ファイル記憶部１Ｂには、表示部１Ｍの画面に表示される情報を含む複数の画面ファイル、具体的には、後述するメニュー画面２、履歴タググループ登録画面３、履歴記録条件登録画面４、運転履歴記録画面５、アナウンス情報表示画面６、気象変動予測画面７Ａ及び気象変動予測画面７Ｂ、プラント運転履歴検索画面８、及び履歴トレンド表示画面９に表示される情報を含むファイルが記憶されている。
【００２９】
気象情報受信部１Ｃは、図示しない通信ネットワークを介して送信されたプラント設備が設置された領域のＩＤと、気象要素の種別と、予測値フラグと、気象要素の予測値又は実測値と、時刻との組を受信する機能と、受信したプラント設備が設置された領域のＩＤと、気象要素の種別と、気象要素の予測値又は実測値と、予測値フラグと、時刻との組をＤＢＭＳ部１Ｌに出力する機能とを有する。
【００３０】
気象情報ＤＢ１Ｄには、図２に示すようにプラント設備が設置された領域のＩＤ（ａ１）と、気象要素の種別（ａ２）と、予測値フラグ（ａ３）と、気象要素の予測値又は実測値（ａ４）と、時刻（ａ５）との組が記憶されている。
【００３１】
なお、領域のＩＤ（ａ１）とは、プラント設備が設置された領域に、予め割り当てられたＩＤを意味する。
【００３２】
なお、気象要素の種別（ａ２）とは、気象状態を示す要素の区別のことをいい、具体的には、湿度、気温、気圧、風向、風速、視程、降水量、又は降雪量等のことを意味する。
【００３３】
ここで、視程とは、大気の懸濁度を示す尺度であり、適当に選択した目標物が見えなくなるまでの距離で表す。
【００３４】
予測値フラグ（ａ３）とは、プラント設備の設置されている領域における気象要素の値が実測値であるか又は予測値であるか否かを識別するための識別項目であり、例えば、気象要素の値が予測値である場合に、予測値フラグに１という値が設定される。
【００３５】
気象要素の値（ａ４）とは、プラント設備の設置されている領域における気象要素の予測値又は実測値を意味する。すなわち、本実施の形態においては、気象要素の値は、前述した予測値フラグに１が設定されている場合に、気象要素の予測値であることを示し、予測値フラグに０が設定されている場合に、気象要素の実測値であることを示す。
【００３６】
時刻（ａ５）とは、プラント設備の設置されている領域における気象要素の実測値が実際に計測された時刻又は気象要素の予測値の予測時刻を意味する。すなわち、時刻（ａ５）は、前述した予測値フラグに１が設定されている場合には、予測された気象要素の値が実現する時刻を示す。一方、時刻（ａ５）は、前述した予測値フラグに０が設定されている場合には、気象要素の値が実測された計測時刻を示す。
【００３７】
プロセス値受信部１Ｅは、図示しない通信ネットワークを介して送信された、プラント設備が設置された領域のＩＤと、当該領域に設置されたセンサのＩＤと、当該センサにより計測されたプロセス値と、計測時刻との組を受信する機能と、受信したプラント設備が設置された領域のＩＤとセンサのＩＤとプロセス値と計測時刻との組をＤＢＭＳ部１Ｌに出力する機能とを有する。
【００３８】
プロセス値ＤＢ１Ｆには、図３に示すように、プラント設備が設置された領域のＩＤ（ｂ１）とセンサのＩＤ（ｂ２）とセンサの位置情報（ｂ３）とプロセス値（ｂ４）と時刻（ｂ５）との組が記憶されている。
【００３９】
領域のＩＤ（ｂ１）とは、プラント設備が設置された領域に割り当てられたＩＤである。
【００４０】
センサのＩＤ（ｂ２）とは、プラント設備が設置された領域に設けられたセンサ毎に割り当てられたＩＤである。
【００４１】
センサの位置情報（ｂ３）とは、センサが設けられた領域内における位置情報を意味する。
【００４２】
プロセス値（ｂ４）とは、センサにより検出されたプロセスデータ、例えば流体の流量、ポンプの回転数、電磁弁の開閉状態、及び調節弁の開度等の実測値を意味する。
【００４３】
時刻（ｂ５）とは、プロセス値がセンサにより計測された計測時刻を意味する。
【００４４】
しきい値データ記憶部１Ｇには、気象要素の予測値又は実測値に異常が発生しているか否かを判定するためのしきい値が気象要素毎に記憶されている。
【００４５】
なお、本実施の形態に係るしきい値データ記憶部１Ｇには、気象要素毎に、気象要素の予測値に軽度の異常であるか否かを判定するためのしきい値である上限値と、上限値の最大値であり、気象要素の予測値が異常であるか否かを判定するためのしきい値である上上限値と、気象要素の予測値に軽度の異常であるか否かを判定するためのしきい値である下限値と、下限値の最小値であり、気象要素の予測値が異常であるか否かを判定するためのしきい値である下下限値とが記憶されている。
【００４６】
なお、本実施の形態に係るしきい値データ記憶部１Ｇには、気象要素の予測値の上限値に軽度の異常であるか否かを判定するための上限値と、上限値の最大値である上上限値と、気象要素の予測値の下限値に軽度の異常であるか否かを判定するための下限値と、下限値の最小値である下下限値とが記憶されていたが、これに限らず、気象要素の実測値に関し、本実施の形態と同様の複数のしきい値が記憶されていてもよい。
【００４７】
なお、本明細書内に記載の上々限値は、最上限値と呼んでもよい。
【００４８】
又、本明細書内に記載の下下限値は、最下限値と呼んでもよい。
【００４９】
更に、本実施の形態に係るしきい値データ記憶部１Ｇには、前述した上限値及び前述した下限値のみが記憶されていてもよい。
【００５０】
第１の記録条件ＤＢ１Ｈには、センサのＩＤ、気象要素の種別、予測値フラグ、履歴タググループ番号、及びオペレータにより付加された支援情報コメントのうち少なくとも一つが記憶されている。
【００５１】
図４は、本実施の形態に係る第１の記録条件ＤＢ１Ｈのデータ構成の一例を示す模式図である。
【００５２】
本実施の形態に係る第１の記録条件ＤＢ１Ｈには、センサのＩＤ（ｃ１）、気象要素の種別（ｃ２）、予測値フラグ（ｃ３）、履歴タググループ番号（ｃ４）、及びコメント（ｃ５）が対応して記憶されている。
【００５３】
ここで、履歴タググループ番号（ｃ４）とは、センサのＩＤ、プロセス値、気象要素の種別、予測値フラグ、及び気象要素に異常である場合における気象要素の予測値又は実測値の組を識別するために、オペレータにより付加された識別情報である。換言すれば、履歴タググループ番号は、気象要素の異常の種別を識別するための識別情報の一つである。
【００５４】
コメント（ｃ５）とは、気象要素の予測値又は実測値に異常がある場合に、プラント設備の運転操作に関する支援情報としてオペレータにより付加される情報である。
【００５５】
なお、他のデータ項目に関しては、前述した説明と同様のため、ここでは説明を省略する。
【００５６】
第２の記録条件ＤＢ１Ｉには、センサのＩＤ、気象要素の種別、予測値フラグ、判定式、コメント、及び履歴記録条件番号のうち少なくとも一つが対応して記憶されている。
【００５７】
図５は、本実施の形態に係る第２の記録条件ＤＢ１Ｉのデータ構成の一例を示す模式図である。
【００５８】
本実施の形態に係る第２の記録条件ＤＢ１Ｉには、センサのＩＤ（ｄ１）、気象要素の種別（ｄ２）、予測値フラグ（ｄ３）、判定式（ｄ４）、コメント（ｄ５）、及び履歴記録条件番号（ｄ６）が対応して記憶されている。
【００５９】
ここで、判定式（ｄ４）とは、気象要素の予測値又は実測値に異常があるか否かを判定するために、オペレータの操作により付加された条件を意味する。
【００６０】
コメント（ｄ５）とは、プラント設備の運転操作に関する支援情報として、オペレータの操作により付加された情報である。
【００６１】
履歴記録条件番号（ｄ６）は、気象要素に異常がある場合に、センサのＩＤ、気象要素の種別、予測値フラグ、判定式、及びコメントの組からなる記録条件を識別するため、換言すれば気象要素の異常の種別を識別するための異常識別情報の一つである。
【００６２】
なお、他のデータ項目に関しては、前述した説明と同様であるので、ここではその説明を省略する。
【００６３】
支援情報ＤＢ１Ｊには、図６に示すように、異常発生時刻（ｅ１）、センサのＩＤ（ｅ２）、プロセス値（ｅ３）、気象要素の種別（ｅ４）、予測値フラグ（ｅ５）、気象要素の値（ｅ６）、コメント（ｅ７）、履歴タググループ番号（ｅ８）、履歴記録条件番号（ｅ９）、及び履歴番号（ｅ１０）の組が対応して記憶されている。
【００６４】
異常発生時刻（ｅ１）とは、過去に気象要素の値が前述した第２の条件ＤＢに記憶された条件式を満たした時刻、換言すれば、過去に気象要素に異常である異常の発生時刻を意味する。
【００６５】
ここで、履歴番号（ｅ１０）とは、異常発生時刻（ｅ１）、センサのＩＤ（ｅ２）、プロセス値（ｅ３）、気象要素の種別（ｅ４）、予測値フラグ（ｅ５）、気象要素の値（ｅ６）、コメント（ｅ７）、履歴タググループ番号（ｅ８）、及び履歴記録条件番号（ｅ９）の組を識別するために、オペレータにより付加された識別情報である。換言すれば、この履歴番号は、気象要素に発生した異常の種別を識別するための識別情報の一つである。
【００６６】
なお、他のデータ項目に関しては、前述した説明と同様であるので、ここではその説明を省略する。
【００６７】
なお、本実施の形態に係る支援情報ＤＢ１Ｊは、本実施の形態に係る支援情報表示装置１の有するメモリ内の所定の領域に記憶されている。
【００６８】
データ入力部１Ｋは、通常のデータ入力機能を有し、主としてオペレータの画面上の操作により、表示要求等が入力されるものである。
【００６９】
なお、本実施の形態に係る支援情報表示装置１では、後述する各画面上で選択釦等が選択された場合に、当該画面上で選択された画面に対する表示要求等がデータ入力部１Ｋに入力されるように構成されている。
【００７０】
ＤＢＭＳ部１Ｌは、気象情報受信部１Ｃから出力されたプラント設備が設置された領域のＩＤと、気象要素の種別と、気象要素の予測値又は実測値と、予測値フラグと、時刻との組を受け取り、受け取ったプラント設備が設置された領域のＩＤと、気象要素の種別と、気象要素の予測値又は実測値と、予測値フラグと、時刻との組を気象情報ＤＢ１Ｄに記憶させる機能と、プロセス値受信部１Ｅから出力されたプラント設備が設置された領域のＩＤとセンサのＩＤとプロセス値と計測時刻との組を受け取り、受け取ったプラント設備が設置された領域のＩＤとセンサのＩＤとプロセス値と計測時刻との組をプロセス値ＤＢ１Ｆに記憶させる機能と、起動時にデータ入力部１Ｋから入力された起動要求に応じて、後述するメニュー画面２のファイルを画面ファイル記憶部１Ｂから読み出し、読み出したメニュー画面２のファイルの内容を表示部１Ｍに表示させる機能と、データ入力部１Ｋから主としてオペレータの操作により入力された表示要求に応じて、後述する履歴タググループ登録画面３、履歴記録条件登録画面４、運転履歴記録画面５、アナウンス情報表示画面６、気象変動予測画面７Ａ及び気象変動予測画面７Ｂ、プラント運転履歴検索画面８、及び履歴トレンド表示画面９のファイルを読み出し、読み出した各ファイルの内容を表示部１Ｍに表示させる機能と、後述する履歴タググループ登録画面３の表示要求が入力された場合に、後述する第１の履歴記録条件登録処理を実行する機能と、後述する履歴記録条件登録画面４の表示要求が入力された場合に、後述する第２の履歴記録条件登録処理を実行する機能と、履歴タググループが第１の記録条件ＤＢ１Ｈに記憶され、かつ、履歴記録条件が第２の記録条件ＤＢ１Ｉに記憶されている場合に、後述する履歴記録処理を実行する機能と、後述する運転履歴記録画面５上で選択釦が選択されることにより、支援情報表示装置１自体の動作を終了させるための終了要求がデータ入力部１Ｋから入力された場合に、各種設定の保存等の終了処理を実行する機能と、後述するアナウンス情報表示画面６上で、プラント設備の設定された領域が選択された場合に、プラント設備が設置された領域における気象要素の予測値又は実測値に異常があるか否かを、しきい値データ記憶部１Ｇから読み出したしきい値と比較することにより判定する機能と、当該判定の結果、プラント設備が設置された領域における気象要素の予測値又は実測値に異常があると判定された場合に、後述するアナウンス情報表示画面６上の地図上に表示させる機能と、後述するアナウンス情報表示画面６上で、選択釦が選択されることにより、データ入力部１Ｋから気象変動予測画面７Ａ又は７Ｂの表示要求が入力された場合、気象変動予測画面７Ａ又は７Ｂを表示させる機能と、気象変動予測画面７Ａ上で選択釦が選択されることにより、運転履歴記録画面５の表示要求が入力された場合に、前述した履歴記録処理を実行する機能と、気象変動予測画面７Ａ上で選択釦が選択されることにより、データ入力部１Ｋから支援情報の提供要求が入力された場合、後述する支援情報提供処理を実行する機能と、支援情報提供処理時に表示される、後述する履歴トレンド表示画面９上で選択釦が選択されることにより、データ入力部１Ｋから支援情報表示装置１自体の動作を終了させるための終了要求が入力された場合に、支援情報表示装置１の各種設定の保存等の終了処理を実行する機能とを有する。
【００７１】
表示部１Ｍは、図示しない表示画面を有しており、ＤＢＭＳ部１Ｌから出力された各画面のファイルに含まれる情報を表示する。
【００７２】
以上のように構成された支援情報表示装置１の動作に関し、図面を用いて説明する。
【００７３】
図７乃至図１５は、本実施の形態に係る支援情報表示装置１の有するＤＢＭＳ部１Ｌの動作を説明するためのフローチャートである。
【００７４】
まず、ＤＢＭＳ部１Ｌは、データ入力部１Ｋから入力された起動要求を受け取ったか否かを判定する（ＳＴ１）。
【００７５】
ＤＢＭＳ部１Ｌは、データ入力部１Ｋから入力された起動要求を受け取ったと判定した場合（ＳＴ１：Ｙｅｓ）、後述するメニュー画面２のファイルを、画面ファイル記憶部１Ｂから読み出す（ＳＴ２）。
【００７６】
次に、ＤＢＭＳ部１Ｌは、図１６に示すように、メニュー画面２のファイルを表示部１Ｍに表示させる（ＳＴ３）。
【００７７】
メニュー画面２には、履歴タググループ登録画面３の選択釦（ｆ１）、履歴記録条件登録画面４の選択釦（ｆ２）、及びアナウンス情報表示画面６の選択釦（ｆ３）が設けられている。
【００７８】
メニュー画面２は、履歴タググループ登録画面３の選択釦（ｆ１）、履歴記録条件登録画面４の選択釦（ｆ２）、又はアナウンス情報表示画面（ｆ３）の何れか１つの画面の選択釦が選択されることにより、対応する画面の表示要求がデータ入力部１Ｋから入力される構成となっている。
【００７９】
また、本実施の形態に係るメニュー画面２には、前述した３個の選択釦が設けられていたが、これに限らず、他の選択釦が設けられていてもよい。
【００８０】
一方、ＤＢＭＳ部は、前述した工程ＳＴ１でＤＢＭＳ部１Ｌから起動要求が入力されていないと判定した場合（ＳＴ１：Ｎｏ）、引き続き、当該判定処理を実行する。
【００８１】
工程ＳＴ４では、ＤＢＭＳ部１Ｌは、前述したメニュー画面２上で履歴タググループ登録画面３の選択釦（ｆ１）が選択されることにより、後述する履歴タググループ登録画面３の表示要求がデータ入力部１Ｋから入力されたか否かを判定する。
【００８２】
ＤＢＭＳ部１Ｌは、この工程ＳＴ４で履歴タググループ登録画面３の表示要求がデータ入力部１Ｋから入力されたと判定した場合（ＳＴ４：Ｙｅｓ）、下記の第１の履歴記録条件登録処理（ＳＴａ）を実行する。
【００８３】
以下、本実施の形態に係るＤＢＭＳ部１Ｌが実行する第１の履歴記録条件登録処理に関し、図面を用いて説明する。
【００８４】
＜第１の履歴記録条件登録処理：ＳＴａ＞
始めに、画面ファイル記憶部１Ｂから履歴タググループ登録画面３のファイルを読み出す（ＳＴａ１）。
【００８５】
工程ＳＴａ２では、ＤＢＭＳ部１Ｌは、図１７に示すように、読み出した履歴タググループ登録画面３のファイルを表示部１Ｍに表示させる。
【００８６】
履歴タググループ登録画面３の左側には、プラント計装機器に関する選択情報（ｉ１）、プラント計装機器情報の選択釦（ｉ２）、プラント計装機器情報の削除釦（ｉ３）、オペレータにより選択されたプラント計装機器に関する選択情報（ｉ４）、
気象要素の実測値に関する選択情報（ｉ５）、気象要素の予測値に関する選択情報（ｉ６）、気象要素の選択釦（ｉ７）、気象要素の削除釦（ｉ８）、及び選択された気象要素の予測値又は実測値（ｉ９）が表示されている。
【００８７】
なお、この履歴タググループ登録画面３上でデジタルとは、プラント設備に設置された計測器がデジタル計装器であることを意味する。
【００８８】
一方、この履歴タググループ登録画面３上でアナログとは、プラント設備に設置された計測器がアナログ計装器であることを意味する。
【００８９】
なお、本実施の形態に係る履歴タググループ登録画面３上では、履歴タグは、タグの種別とプラントに設置された装置に割り当てられた番号との組からなっている。
【００９０】
なお、本明細書に記載のタグとは、プラント設備を構成するデジタル機器、又はアナログ機器が表示させるプロセス値、及び気象要素の予測値又は実測値等を、画面上で一意に識別可能なように記号化したものを意味する。
【００９１】
例えば、履歴タググループ登録画面３上で「ＰＵＭＰ１〜ＰＵＭＰＮ」は、プラント設備に設置されたポンプであることを示し、最後に付加された１〜Ｎは、プラント設備に設置されたポンプに割り当てられた番号を示す。
【００９２】
「ＳＯＶ１〜ＳＯＶＮ」は、プラント設備に設置された電磁弁であることを示し、最後に付加された１〜Ｎは、プラント設備に設置された電磁弁に割り当てられた番号を示す。
【００９３】
「ＭＯＴ１〜ＭＯＴＮ」は、プラント設備に設置されたモータであることを示し、最後に付加された１〜Ｎは、プラント設備に設置されたモータに割り当てられた番号を示す。
【００９４】
「ＩＮＤ１〜ＩＮＤＮ」は、プラント設備に設置された表示計であることを示し、最後に付加された１〜Ｎは、プラント設備に設置された表示計に割り当てられた番号を示す。
【００９５】
「ＰＩＤ１〜ＰＩＤＮ」は、プラント設備に設置されたＰＩＤ調節計であることを示し、最後に付加された１〜Ｎは、プラント設備に設置されたＰＩＤ調節計に割り当てられた番号を示す。
【００９６】
「ＡＳＭ１〜ＡＳＭＮ」は、プラント設備に設置されたアナログ積算計を示し、最後に付加された１〜Ｎは、プラント設備に設置されたアナログ積算計に割り当てられた番号を示す。
【００９７】
「ＰＳＭ１〜ＰＳＭＮ」は、プラント設備に設置されたパルス積算計を示し、最後に付加された１〜Ｎは、プラント設備に設置されたパルス積算計に割り当てられた番号を示す。
【００９８】
「ＲＡＩＮＲＥＡＬ１〜ＲＡＩＮＲＥＡＬＮ」は、降水量の実測値であることを示し、最後に付加された１〜Ｎは、プラント設備近傍に設置された気象庁又は民間の気象要素に関するデータを提供する団体の有する降水量計に割り当てられた番号を示す。
【００９９】
「ＴＥＭＰＲＥＡＬ１〜ＴＥＭＰＲＥＡＬＮ」は、気温の実測値であることを示し、最後に付加された１〜Ｎは、プラント設備近傍に設置された気象庁又は民間の気象要素に関するデータを提供する団体の有する温度計に割り当てられた番号を示す。
【０１００】
「ＭＯＩＳＴＲＥＡＬ１〜ＭＯＩＳＴＲＥＡＬＮ」は、湿度の実測値であることを示し、最後に付加された１〜Ｎは、プラント設備近傍に設置された気象庁又は民間の気象要素に関するデータを提供する団体の有する湿度計に割り当てられた番号を示す。
【０１０１】
「ＨＰＲＥＡＬ１〜ＨＰＲＥＡＬＮ」は、海面更正気圧の実測値であることを示し、最後に付加された１〜Ｎは、プラント設備近傍に設置された気象庁又は民間の気象要素に関するデータを提供する団体の有する気圧計に割り当てられた番号を示す。
【０１０２】
「ＲＡＩＮＦＣＳＴ１〜ＲＡＩＮＦＣＳＴＮ」は、降水量の予測値であることを示し、最後に付加された１〜Ｎは、プラント設備近傍に設置された気象庁又は民間の気象要素に関するデータを提供する団体の有する降雨計に割り当てられた番号を示す。
【０１０３】
「ＴＥＭＰＦＣＳＴ１〜ＴＥＭＰＦＣＳＴＮ」は、気温の予測値であることを示し、最後に付加された１〜Ｎは、プラント設備近傍に設置された気象庁又は民間の気象要素に関するデータを提供する団体の有する温度計に割り当てられた番号を示す。
【０１０４】
「ＭＯＩＳＴＦＣＳＴ１〜ＭＯＩＳＴＦＣＳＴＮ」は、湿度の予測値であることを示し、最後に付加された１〜Ｎは、プラント設備近傍に設置された気象庁又は民間の気象要素に関するデータを提供する団体の有する湿度計に割り当てられた番号を示す。
【０１０５】
「ＨＰＦＣＳＴ１〜ＨＰＦＣＳＴＮ」は、海面更正気圧の予測値であることを示し、最後に付加された１〜Ｎは、プラント設備近傍に設置された気象庁又は民間の気象要素に関するデータを提供する団体の有する気圧計に割り当てられた番号を示す。
【０１０６】
履歴タググループ登録画面３の右側には、履歴タググループ番号（ｉ１０）、オペレータにより入力されるプラントの運転操作に関する支援情報としてのコメント（ｉ１１）、履歴タググループを登録するための履歴タググループ登録釦（ｉ１２）、履歴タググループを削除するための履歴タググループ削除釦（ｉ１３）、及び履歴記録条件登録画面４の選択釦（ｉ１４）が表示されている。
【０１０７】
なお、履歴タググループ登録画面３は、この画面上でプラント計装機器情報が選択された場合、右隣に設けられた選択パターンの欄に、選択されたプラント計装機器情報が表示されるようになっている。
【０１０８】
また、履歴タググループ登録画面３は、この画面上で気象情報が選択された場合、右隣に設けられた選択パターンの欄に、選択された気象情報が表示されるようになっている。
【０１０９】
本実施の形態に係る支援情報表示装置１では、履歴タググループ登録画面３上で、プラント計装機器情報の選択情報（ｉ１）、気象要素の実測値に関する選択情報（ｉ５）、気象要素の予測値に関する選択情報（ｉ６）、履歴タググループ番号（ｉ１０）、コメント（ｉ１１）、及び履歴タググループ登録釦（ｉ１２）又は履歴タググループ削除釦（ｉ１３）が選択された場合、履歴タググループの登録要求又は履歴タググループの削除要求と、前述した図４に示す第１の記録条件ＤＢ１Ｈの各データ項目であるセンサのＩＤ、気象要素の種別、予測値フラグ、履歴タググループ番号、及びコメントとの組がデータ入力部１Ｋに入力される構成となっている。
【０１１０】
本実施の形態に係る支援情報表示装置１では、履歴タググループ登録画面３上で、履歴記録条件登録画面４の選択釦（ｉ１４）が選択された場合、履歴記録条件登録画面４の表示要求がデータ入力部１Ｋから入力される構成となっている。
【０１１１】
工程ＳＴａ３では、ＤＢＭＳ部１Ｌは、履歴タググループ登録画面３上でオペレータの操作によって、プラント計装機器情報、気象情報、履歴タググループ番号、及び履歴タググループ登録釦が選択されることにより、データ入力部１Ｋから履歴タググループの登録要求と前述した図４に示す第１の記録条件ＤＢ１Ｈのデータ項目であるセンサのＩＤ、気象要素の種別、予測値フラグ、履歴タググループ番号、及びコメントからなる履歴タググループとの組が入力されたか否かを判定する。
【０１１２】
ＤＢＭＳ部１Ｌは、この工程ＳＴａ３で履歴タググループの登録要求と、履歴タググループとの組が入力されたと判定した場合（ＳＴａ３：Ｙｅｓ）、履歴タググループ登録画面３上で選択されたプラント計装機器情報の選択情報（ｉ１）、気象要素の実測値に関する選択情報（ｉ５）、気象要素の予測値に関する選択情報（ｉ６）、及びこれらの識別情報として付加される履歴タググループ番号に対応するセンサのＩＤ、気象要素の種別、予測値フラグ、履歴タググループ番号、及びコメントの組からなる履歴タググループを第１の記録条件ＤＢ１Ｈに記憶させる（ＳＴａ４）。
【０１１３】
一方、ＤＢＭＳ部１Ｌは、前述した工程ＳＴａ３で履歴タググループの登録要求がないと判定した場合（ＳＴａ３：Ｎｏ）、引き続き、当該判定処理を実行する。
【０１１４】
工程ＳＴａ５では、ＤＢＭＳ部１Ｌは、履歴タググループ登録画面３上でオペレータの操作によって、プラント計装機器情報、気象情報、及び識別情報として付加される履歴タググループ番号、及び履歴タググループ削除釦が選択されることにより、履歴タググループの削除要求があるか否かを判定する。
【０１１５】
ＤＢＭＳ部１Ｌは、この工程ＳＴａ５で履歴タググループの削除要求があると判定した場合（ＳＴａ５：Ｙｅｓ）、対応する履歴タググループを第１の記録条件ＤＢ１Ｈから読み出す（ＳＴａ６）。
【０１１６】
次に、ＤＢＭＳ部１Ｌは、読み出した履歴タググループを削除した後（ＳＴａ７）、当該実行処理を終了する。
【０１１７】
一方、ＤＢＭＳ部１Ｌは、前述した工程ＳＴａ５で履歴タググループの削除要求がないと判定した場合（ＳＴａ５：Ｎｏ）、そのまま第１の履歴記録条件登録処理（ＳＴａ）を終了する。
【０１１８】
以上のような一連の処理により、ＤＢＭＳ部１Ｌは、第１の履歴記録条件登録処理（ＳＴａ）を終了し、後述する工程ＳＴ５に移行する。
【０１１９】
工程ＳＴ５では、ＤＢＭＳ部１Ｌは、前述した履歴タググループ登録画面３上で履歴記録条件登録画面４の表示要求を入力するための選択釦（ｉ１４）が選択されることにより、履歴記録条件登録画面４の表示要求が入力されたか否かを判定する。
【０１２０】
ＤＢＭＳ部は、この工程ＳＴ５で履歴記録条件登録画面４の表示要求が入力されたと判定した場合（ＳＴ５：Ｙｅｓ）、後述する第２の履歴記録条件登録処理（ＳＴｂ）を実行する。
【０１２１】
一方、ＤＢＭＳ部１Ｌは、前述した工程ＳＴ５で履歴記録条件登録画面４の表示要求が入力されていないと判定した場合（ＳＴ５：Ｎｏ）、当該判定処理を実行する。
【０１２２】
一方、ＤＢＭＳ部１Ｌは、前述した工程ＳＴ４で履歴タググループ登録画面３の表示要求が入力されていないと判定した場合（ＳＴ４：Ｎｏ）、後述する履歴記録条件登録画面４の表示要求が入力されたか否かを判定する（ＳＴ６）。
【０１２３】
ＤＢＭＳ部１Ｌは、この工程ＳＴ６で、履歴記録条件登録画面４の表示要求が入力されたと判定した場合（ＳＴ６：Ｙｅｓ）、下記の第２の履歴記録条件登録処理（ＳＴｂ）を実行する。
【０１２４】
以下、本実施の形態に係るＤＢＭＳ部１Ｌが実行する第２の履歴記録条件登録処理（ＳＴｂ）に関し、図面を用いて説明する。
【０１２５】
＜第２の履歴記録条件登録処理：ＳＴｂ＞
始めに、ＤＢＭＳ部１Ｌは、画面ファイル記憶部１Ｂから後述する履歴記録条件登録画面４のファイルを読み出す（ＳＴｂ１）。
【０１２６】
次に、ＤＢＭＳ部１Ｌは、図１８に示すように、履歴記録条件登録画面４のファイルを表示部１Ｍに表示させる（ＳＴｂ２）。
【０１２７】
履歴記録条件登録画面４の左側には、センサと、気象要素の実測値及び予測値とにそれぞれ、日付（ｊ１）、時刻（ｊ２）、タグ名（ｊ３）、判定式（ｊ４）、しきい値の選択情報（ｊ５）、選択情報の登録要求を入力するための選択釦（ｊ６）、オペレータにより付加される支援情報としてのコメント（ｊ７）、及びコメントの登録要求を入力するための選択釦（ｊ８）が設けられている。
【０１２８】
また、履歴記録条件登録画面４の右側には、オペレータにより付加された履歴記録条件番号（ｊ９）、支援情報としてオペレータにより付加されたコメント（ｊ１０）、履歴記録条件を登録するための登録釦（ｊ１１）、登録済みの履歴記録条件を削除するための削除釦（ｊ１２）、履歴タググループ登録画面４の選択釦（ｊ１３）、及び運転履歴記録画面５の選択釦（ｊ１４）が設けられている。
【０１２９】
さらに、履歴記録条件登録画面４上の判定式設定欄では、気象要素の予測値又は実測値に異常が発生したか否かを判定する判定式と判定するためのしきい値とが選択入力された場合、判定式としきい値とからなる判定式が当該履歴記録条件登録画面４の表示欄に表示される。
【０１３０】
例えば、オペレータの運転操作により、同履歴記録条件登録画面４の判定式設定欄に、（（１）ＡＮＤ（２））ＯＲ（３）という論理式が設定された場合には、（（１）ＡＮＤ（２））ＯＲ（３）が真となる、換言すれば（（１）ＡＮＤ（２））ＯＲ（３）＝１が成立するプラントの運転操作履歴を検索条件として設定することができる。
【０１３１】
なお、本実施の形態に係る支援情報表示装置１では、履歴記録条件登録画面４上で、日付（ｊ１）、時刻（ｊ２）、タグ名（ｊ３）、判定式（ｊ４）、しきい値の選択情報（ｊ５）、選択情報の登録要求を入力するための選択釦（ｊ６）、オペレータにより付加される支援情報としてのコメント（ｊ７）、コメントの登録要求を入力するための選択釦（ｊ８）、オペレータにより付加された履歴記録条件番号（ｊ９）、支援情報としてオペレータにより付加されたコメント（ｊ１０）、及び履歴記録条件を登録するための登録釦（ｊ１１）又は履歴記録条件を削除するための削除釦（ｊ１２）が選択された場合、前述した図５に示す第２の記録条件ＤＢの各データ項目であるセンサのＩＤ、気象要素の種別、予測値フラグ、判定式、コメント、及び履歴記録条件番号からなる履歴登録条件と、この履歴登録条件の登録要求又は削除要求との組が入力される構成となっている。
【０１３２】
なお、本実施の形態に係る支援情報表示装置１では、履歴記録条件登録画面４上で履歴タグ登録画面３の選択釦（ｊ１３）又は運転履歴記録画面５の選択釦（ｊ１４）が選択されることにより、対応する画面の表示要求がデータ入力部１Ｋから入力される構成となっている。
【０１３３】
工程ＳＴｂ３では、ＤＢＭＳ部１Ｌは、日付（ｊ１）、時刻（ｊ２）、タグ名（ｊ３）、判定式（ｊ４）、しきい値の選択情報（ｊ５）、選択情報の登録要求を入力するための選択釦（ｊ６）、オペレータにより付加される支援情報としてのコメント（ｊ７）、コメントの登録要求を入力するための選択釦（ｊ８）、オペレータにより付加された履歴記録条件番号（ｊ９）、支援情報としてオペレータにより付加されたコメント（ｊ１０）、及び履歴記録条件を登録するための登録釦（ｊ１１）が選択されることにより、前述した図５に示す第２の記録条件ＤＢのデータ項目であるセンサのＩＤ、気象要素の種別、予測値フラグ、判定式、コメント、及び履歴記録条件番号からなる履歴登録条件と、当該履歴登録条件の登録要求との組が入力されたか否かを判定する。
【０１３４】
ＤＢＭＳ部１Ｌは、この工程ＳＴｂ３で履歴登録条件と履歴登録条件の登録要求との組が入力されたと判定した場合（ＳＴｂ３：Ｙｅｓ）、センサのＩＤ、気象要素の種別、予測値フラグ、判定式、コメント、及び履歴記録条件番号からなる履歴登録条件を第２の記録条件ＤＢ１Ｉに記憶させる（ＳＴｂ４）。
【０１３５】
一方、ＤＢＭＳ部１Ｌは、前述した工程ＳＴｂ３で履歴登録条件の登録要求が入力されていないと判定した場合（ＳＴｂ３：Ｎｏ）、引き続き、当該判定処理を実行する。
【０１３６】
工程ＳＴｂ５では、ＤＢＭＳ部１Ｌは、日付（ｊ１）、時刻（ｊ２）、タグ名（ｊ３）、判定式（ｊ４）、しきい値の選択情報（ｊ５）、選択情報の登録要求を入力するための選択釦（ｊ６）、オペレータにより付加される支援情報としてのコメント（ｊ７）、コメントの登録要求を入力するための選択釦（ｊ８）、オペレータにより付加された履歴記録条件番号（ｊ９）、コメント（ｊ１０）、及び履歴記録条件を削除するための削除釦（ｊ１２）が選択されることにより、履歴登録条件の削除要求が入力されたか否かを判定する。
【０１３７】
ＤＢＭＳ部１Ｌは、この工程ＳＴｂ５で履歴登録条件の削除要求が入力されたと判定した場合（ＳＴｂ５：Ｙｅｓ）、対応する履歴登録条件を第２の記録条件ＤＢ１Ｉから読み出す（ＳＴｂ６）。
【０１３８】
次に、ＤＢＭＳ部１Ｌは、読み出した履歴記録条件を削除した後（ＳＴｂ７）、実行中の第２の履歴記録条件登録処理（ＳＴｂ）を終了する。その後、後述する工程７に移行する。
【０１３９】
一方、ＤＢＭＳ部１Ｌは、前述した工程ＳＴｂ５で履歴登録条件の削除要求が入力されていないと判定した場合（ＳＴｂ５：Ｙｅｓ）、そのまま第２の履歴記録条件登録処理（ＳＴｂ）を終了する。
【０１４０】
以上のような一連の処理により、ＤＢＭＳ部１Ｌは、第２の履歴記録条件登録処理（ＳＴｂ）を終了し、後述する工程ＳＴ７に移行する。
【０１４１】
工程ＳＴ７では、ＤＢＭＳ部１Ｌは、前述した履歴記録条件登録画面４上で、履歴タググループ登録画面３の表示要求を入力するための選択釦（ｊ１３）が選択されることにより、前述した履歴タググループ登録画面３の表示要求が入力されたか否かを判定する。
【０１４２】
ＤＢＭＳ部１Ｌは、この工程ＳＴ７で履歴タググループ登録画面３の表示要求が入力されたと判定した場合（ＳＴ７：Ｙｅｓ）、前述した工程ＳＴ４に移行する。
【０１４３】
一方、ＤＢＭＳ部１Ｌは、前述した工程ＳＴ７で履歴タググループ登録画面３の表示要求が入力されていないと判定した場合（ＳＴ７：Ｎｏ）、運転履歴記録画面５の選択釦が選択されることにより、データ入力部１Ｋから運転履歴記録画面５の表示要求が入力されたか否かを判定する（ＳＴ８）。
【０１４４】
ＤＢＭＳ部１Ｌは、この工程ＳＴ８で運転履歴記録画面５の表示要求が入力されたと判定した場合（ＳＴ８：Ｙｅｓ）、第１の記録条件ＤＢ１Ｈ及び第２の記録条件ＤＢ１Ｉを参照することによって、履歴タググループと履歴記録条件との双方が登録済みであるか否かを判定する（ＳＴ９）。
【０１４５】
一方、ＤＢＭＳ部１Ｌは、前述した工程ＳＴ８で運転履歴記録画面５の表示要求が入力されていないと判定した場合（ＳＴ８：Ｎｏ）、前述した工程ＳＴ２に移行する。
【０１４６】
一方、ＤＢＭＳ部１Ｌは、前述した工程ＳＴ９で履歴タググループと履歴記録条件との双方が登録済みであると判定した場合（ＳＴ９：Ｙｅｓ）、下記の履歴記録処理（ＳＴｃ）を実行する。
【０１４７】
一方、ＤＢＭＳ部１Ｌは、前述した工程ＳＴ９で履歴タググループ及び履歴記録条件の何れか一方が登録されていないと判定した場合（ＳＴ９：Ｎｏ）、前述した工程ＳＴ２に移行する。
【０１４８】
＜履歴記録処理：ＳＴｃ＞
以下、本実施の形態に係るＤＢＭＳ部１Ｌが実行する履歴記録処理（ＳＴｃ）の一例を、図を用いて説明する。
【０１４９】
始めに、ＤＢＭＳ部１Ｌは、画面ファイル記憶部１Ｂから運転履歴記録画面５のファイルを読み出す（ＳＴｃ１）。
【０１５０】
次に、ＤＢＭＳ部１Ｌは、読み出した運転履歴記録画面５のファイルを図１７に示すように表示部１Ｍに表示させる（ＳＴｃ２）。
【０１５１】
この運転履歴記録画面５には、履歴タググループ番号を選択入力する欄（ｋ１）と、コメントを選択入力する欄（ｋ２）と、履歴記録条件番号を選択入力する欄（ｋ３）と、コメントを選択入力する欄（ｋ４）と、履歴記録の記録開始要求を入力するための記録開始要求選択釦（ｋ５）と、履歴記録の記録終了要求を入力するための終了要求選択釦（ｋ６）と、メニュー画面２を表示させるための選択釦（ｋ７）と、支援情報表示装置１の動作を終了させるための終了要求を入力するための終了釦（ｋ８）とが設けられている。
【０１５２】
なお、運転履歴記録画面５は、履歴タググループ番号（ｋ１）、コメント（ｋ２）、履歴記録条件番号（ｋ３）、コメント（ｋ４）、及び記録開始要求選択釦（ｋ５）又は終了要求選択釦（ｋ６）が選択されることにより、履歴タググループ番号（ｋ１）、コメント（ｋ２）、履歴記録条件番号（ｋ３）、及びコメント（ｋ４）と、履歴記録の記録開始要求又は履歴記録の終了要求との組がデータ入力部１ｋから入力される構成となっている。
【０１５３】
なお、この運転履歴記録画面５は、メニュー画面２の選択釦（ｋ７）が選択されることにより、メニュー画面２の表示要求がデータ入力部１Ｋから入力される構成となっている。
【０１５４】
また、本実施の形態に係る運転履歴記録画面５では、支援情報表示装置１の動作を終了させる終了要求を入力するための選択釦（ｋ８）が選択されることにより、支援情報表示装置１の動作を終了させるための終了要求がデータ入力部１Ｋから入力される構成となっている。
【０１５５】
工程ＳＴｃ３では、ＤＢＭＳ部１Ｌは、履歴タググループ番号、履歴記録条件番号、コメント、及び開始要求選択釦が選択されることにより、データ入力部１Ｋから履歴タググループ番号、履歴記録条件番号、コメント、及び履歴記録の記録開始要求の組が入力されたか否かを判定する。
【０１５６】
ＤＢＭＳ部１Ｌは、この工程ＳＴｃ３で履歴タググループ番号、履歴記録条件番号、コメント、及び履歴記録の記録開始要求が入力されたと判定した場合（ＳＴｃ３：Ｙｅｓ）、入力された履歴タググループ番号に対応する履歴タググループを、第１の記録条件ＤＢ１Ｈから読み出す（ＳＴｃ４）。
【０１５７】
次に、ＤＢＭＳ部１Ｌは、入力された履歴記録条件番号に対応する履歴記録条件を、第２の記録条件ＤＢ１Ｉから読み出す（ＳＴｃ５）。
【０１５８】
次に、ＤＢＭＳ部１Ｌは、読み出した履歴タググループに対応する領域のＩＤ、センサの位置情報、センサのＩＤ、プロセス値、及び時刻の組をプロセス値ＤＢ１Ｆから読み出す（ＳＴｃ６）。
【０１５９】
次に、ＤＢＭＳ部１Ｌは、読み出した履歴タググループに対応する領域のＩＤ、気象要素の種別、予測値フラグ、気象要素の予測値又は実測値、及び時刻の組を気象情報ＤＢ１Ｄから読み出す（ＳＴｃ７）。
【０１６０】
次に、ＤＢＭＳ部１Ｌは、気象情報ＤＢ１Ｄから読み出したデータのうち、履歴記録条件を満たす過去における気象要素の予測値又は実測値（異常値）、気象要素の種別、予測値フラグ、履歴記録条件番号、センサのＩＤ、プラントの運転操作に関する支援情報としてのコメント、履歴タググループ番号、プロセス値、及び異常発生時刻の組に、順次、履歴番号を付加する（ＳＴｃ８）。
【０１６１】
次に、ＤＢＭＳ部１Ｌは、履歴記録条件を満たす過去における気象要素の予測値又は実測値（異常値）、気象要素の種別、予測値フラグ、履歴記録条件番号、センサのＩＤ、プラントの運転操作に関する支援情報としてのコメント、履歴タググループ番号、プロセス値、異常発生時刻、及び履歴番号の組を支援情報ＤＢ１Ｊに記憶させる（ＳＴｃ９）。
【０１６２】
一方、ＤＢＭＳ部１Ｌは、前述した工程ＳＴｃ３で履歴記録の記録開始要求が入力されていないと判定した場合（ＳＴｃ３：Ｎｏ）、引き続き、当該判定処理を実行する。
【０１６３】
工程ＳＴｃ１０では、ＤＢＭＳ部１Ｌは、終了要求選択釦が選択されることにより、履歴記録の記録終了要求が入力されたか否かを判定する。
【０１６４】
ＤＢＭＳ部１Ｌは、この工程ＳＴｃ１０で履歴記録の記録終了要求が入力されたと判定した場合（ＳＴｃ１０：Ｙｅｓ）、実行中の履歴記録処理を終了する。
【０１６５】
一方、ＤＢＭＳ部１Ｌは、この工程ＳＴｃ１０で、履歴記録の記録終了要求が入力されていないと判定した場合（ＳＴｃ１０：Ｎｏ）、引き続き、当該判定処理を実行する。
【０１６６】
以上のような一連の処理により、ＤＢＭＳ部は、実行中の履歴記録処理を終了し、後述する工程ＳＴ１０に移行する。
【０１６７】
工程ＳＴ１０では、ＤＢＭＳ部１Ｌは、メニュー画面２の選択釦が選択されることにより、メニュー画面２の表示要求がデータ入力部１Ｋから入力されたか否かを判定する。
【０１６８】
ＤＢＭＳ部１Ｌは、この工程ＳＴ１０で、メニュー画面２の表示要求が入力されたと判定した場合（ＳＴ１０：Ｙｅｓ）、前述する工程ＳＴ２に移行する。
【０１６９】
一方、ＤＢＭＳ部１Ｌは、前述した工程ＳＴ１０でメニュー画面２の表示要求が入力されていないと判定した場合（ＳＴ１０:Ｎｏ）、支援情報表示装置１の動作を終了させるための終了要求を入力するための選択釦（ｋ８）が運転履歴記録画面５上で選択されることにより、支援情報表示装置１の動作を終了させるための終了要求が入力されたか否かを判定する（ＳＴ１１）。
【０１７０】
ＤＢＭＳ部１Ｌは、この工程ＳＴ１１で支援情報表示装置１の動作を終了させるための終了要求が入力されたと判定した場合（ＳＴ１１：Ｙｅｓ）、支援情報表示装置１を終了させるための各種設定の保存等の終了処理を実行する（ＳＴ１２）。
【０１７１】
一方、ＤＢＭＳ部１Ｌは、前述した工程ＳＴ１１で支援情報表示装置１の動作を終了させるための終了要求が入力されていないと判定した場合（ＳＴ１１：Ｎｏ）、前述した工程ＳＴ２に移行する。
【０１７２】
一方、ＤＢＭＳ部１Ｌは、前述した工程ＳＴ６で、メニュー画面２上で履歴記録条件登録画面４の表示要求が入力されていないと判定した場合（ＳＴ６：Ｎｏ）、前述したメニュー画面２上で後述するアナウンス情報表示画面６の表示要求を入力させるための選択釦（ｆ３）が選択されることにより、アナウンス情報表示画面６の表示要求が入力されたか否かを判定する（ＳＴ１３）。
【０１７３】
ＤＢＭＳ部１Ｌは、この工程ＳＴ１３で、アナウンス情報表示画面６の表示要求が入力されたと判定した場合（ＳＴ１３：Ｙｅｓ）、アナウンス情報表示画面６のファイルを画面ファイル記憶部１Ｂから読み出す（ＳＴ１４）。
【０１７４】
次に、ＤＢＭＳ部１Ｌは、読み出したアナウンス情報表示画面６のファイルを図１８に示すように、表示部１Ｍに表示させる（ＳＴ１５）。
【０１７５】
アナウンス情報表示画面６の右側には、各プラント設備の位置情報と気象要素の予測値又は実測値とを地図情報に対応して表示させる地域図（ｇ１）と、後述する気象変動予測画面７Ａの選択釦（ｇ２）とが表示されている。
【０１７６】
一方、アナウンス情報表示画面６の左側には、オペレータへの気象状況のアナウンス（ｇ３）が表示されている。
【０１７７】
本実施の形態に係る支援情報表示装置１では、オペレータの操作によりプラント設備の存在する領域がアナウンス情報表示画面６の地域図（ｇ１）上で選択された場合に、プラント設備の存在する領域のＩＤと当該領域内における気象要素の予測値又は実測値の異常判定要求との組がデータ入力部１Ｋから入力される構成となっている。
【０１７８】
一方、ＤＢＭＳ部１Ｌは、前述した工程ＳＴ１３でアナウンス情報表示画面６の表示要求が入力されていないと判定した場合（ＳＴ１３：Ｎｏ）、前述した工程ＳＴ２に移行する。
【０１７９】
工程ＳＴ１６では、ＤＢＭＳ部１Ｌは、アナウンス情報表示画面６上で、監視対象のプラント設備が選択されることにより、データ入力部１Ｋからプラント設備が設置された領域のＩＤと気象要素の予測値又は実測値の異常判定要求との組が入力されたか否かを判定する。
【０１８０】
ＤＢＭＳ部１Ｌは、この工程ＳＴ１６でデータ入力部１Ｋから領域のＩＤと気象要素の予測値又は実測値の異常判定要求との組が入力されたと判定した場合（ＳＴ１６：Ｙｅｓ）気象要素の予測値又は実測値に異常があるか否かを判定するための全てのしきい値を読み出す（ＳＴ１７）。
【０１８１】
一方、ＤＢＭＳ部１Ｌは、前述した工程ＳＴ１６で、アナウンス情報表示画面６上でプラント設備を選択することにより、データ入力部１Ｋから領域のＩＤと気象要素の予測値又は実測値の異常判定要求との組が入力されていないと判定した場合（ＳＴ１６：Ｎｏ）、引き続き、当該判定処理を実行する。
【０１８２】
工程ＳＴ１８では、ＤＢＭＳ部１Ｌは、予測値フラグを予測値又は実測値の何れか一方に指定して領域のＩＤに対応する気象要素の予測値又は実測値を気象情報ＤＢ１Ｄから読み出す。
【０１８３】
次に、ＤＢＭＳ部１Ｌは、領域の気象要素の予測値又は実測値が読み出したしきい値のうち上限値よりも大きい値であるか否か、換言すれば気象要素の予測値又は実測値に軽度の異常があるか否かを判定する（ＳＴ１９）。
【０１８４】
ＤＢＭＳ部１Ｌは、この工程ＳＴ１９で、プラント設備が設置された領域の気象要素の予測値又は実測値が上限値よりも大きい値であると判定した場合、（ＳＴ１９：Ｙｅｓ）、更に監視対象のプラント設備が設置された領域の気象要素の予測値又は実測値が、しきい値の最大値である上上限値よりも大きい値であるか否か、換言すれば気象要素の予測値又は実測値に異常があるか否かを判定する（ＳＴ２０）。
【０１８５】
ＤＢＭＳ部１Ｌは、この工程ＳＴ２０で、気象要素の予測値が上上限値よりも大きい値であると判定した場合、換言すれば気象要素の予測値又は実測値に異常があると判定した場合、（ＳＴ２０：Ｙｅｓ）、アナウンス情報表示画面６の領域のＩＤに対応する位置の気象要素の予測値又は実測値に異常があることを示すアナウンスを表示する（ＳＴ２１）。
【０１８６】
工程ＳＴ２２では、ＤＢＭＳ部１Ｌは、アナウンス情報表示画面６上でオペレータにより気象変動予測画面７Ａの選択釦（ｇ２）が選択されることにより、データ入力部１Ｋから気象要素の種別とプラント設備の設置された領域のＩＤと現在時刻と気象変動予測画面７Ａの表示要求との組が入力されたか否かを判定する。
【０１８７】
ＤＢＭＳ部１Ｌは、この工程ＳＴ２２でデータ入力部１Ｋから気象要素の種別とプラント設備の設置された領域のＩＤと現在時刻と気象変動予測画面の表示要求との組が入力されたと判定した場合（ＳＴ２２：Ｙｅｓ）、現在時刻から所定の期間内における気象要素の実測値又は予測値の組を気象情報ＤＢ１Ｄから読み出す（ＳＴ２３）。
【０１８８】
一方、ＤＢＭＳ部１Ｌは、前述した工程ＳＴ２２でデータ入力部１Ｋから気象要素の種別とプラントの設置された領域のＩＤと現在時刻と気象変動予測画面の表示要求との組が入力されていないと判定した場合（ＳＴ２２：Ｎｏ）、引き続き、当該判定処理を実行する。
【０１８９】
工程ＳＴ２４では、ＤＢＭＳ部は、気象要素の予測値又は実測値に異常があるか否かを判定するためのしきい値をしきい値データ記憶部１Ｇから読み出す。
【０１９０】
工程ＳＴ２５では、ＤＢＭＳ部１Ｌは、気象情報ＤＢ１Ｄから読み出した現在時刻から所定期間内における気象要素の予測値又は実測値と、所定のしきい値とを比較することにより、気象要素の予測値又は実測値に異常があるか否かを判定する（異常判定手段）。
【０１９１】
なお、本実施の形態に係るＤＢＭＳ部１Ｌは、気象要素の予測値又は実測値に、異常があるか否かを判定する手法としては、所定の上々限値、上限値、下限値、及び下下限値の４つのしきい値と比較し、当該比較の結果、気象要素の予測値に異常又は軽度の異常がある場合、換言すれば、気象要素の予測値又は実測値が上限値以上下限値以下の値以外の場合に、気象要素の予測値又は実測値に異常があると判定する手法によって判定する手法がある。
【０１９２】
なお、本実施の形態に係るＤＢＭＳ部１Ｌが気象要素の予測値又は実測値に異常が発生しているか否かを判定する手法としては、例えば図２１に示すように、プラント設備の属する領域を中心として、所定の半径Ｘｋｍの領域が含まれ、かつ、この領域に隣接する８つの領域を加えた領域１〜領域９までの縦３×横３個の領域、計９つの領域における気象要素の予測値又は実測値に多数決を実行し、この多数決の結果、最も多い領域数であった気象要素の予測値又は実測値と、所定のしきい値とを比較する手法を用いてもよい。
【０１９３】
なお、この図２１において、ＲＡＩＮＦＣＳＴ１〜９は、各領域１〜９における降水量の予測値であることを示している。
【０１９４】
なお、この気象要素の予測値又は実測値に多数決を実行する手法では、例えば９個の領域中、４個の領域の降水量の予測値が３０ｍｍ／ｈ、３個の領域の降水量の予測値が２０ｍｍ／ｈ、２個の領域の降水量の予測値が１０ｍｍ／ｈである場合、降水量の予測値を最大多数を占める４個の領域の予測値である３０ｍｍ／ｈと、所定のしきい値とを比較することにより、気象要素の予測値又は実測値に異常があるか否かを判定するものとする。
【０１９５】
また、本実施の形態に係るＤＢＭＳ部１Ｌが気象要素の予測値又は実測値に異常があるか否かを判定する他の手法としては、例えばプラント設備の属する領域を中心として、この領域に隣接する８つの領域を加えた縦３×横３個の領域、計９つの領域における気象要素の予測値又は実測値の相加平均を算出し、この算出した相加平均の値と、所定のしきい値とを比較する手法を用いてもよい。
【０１９６】
なお、この気象要素の予測値又は実測値の相加平均を算出する手法では、例えば９個の領域中、４個の領域の降水量の予測値が３０ｍｍ／ｈ、３個の領域の降水量の予測値が２０ｍｍ／ｈ、２個の領域の降水量の予測値が１０ｍｍ／ｈである場合、下記の式（１）により相加平均を算出し、算出した相加平均と、所定のしきい値とを比較することにより、気象要素の予測値又は実測値に異常があるか否かを判定するものとする。  
（３０×４+２０×３+１０×２）／９＝２２．２…式（１）  
なお、上述した例の場合、２２．２の整数１桁以下を四捨五入して２２ｍｍ／ｈとして降水量の予測値又は実測値を算出するものとする。
【０１９７】
なお、本実施の形態に係るＤＢＭＳ部１Ｌが気象要素の予測値又は実測値に異常があるか否かを判定する他の手法としては、例えばプラント設備の属する領域を中心として、この領域に隣接する８つの領域を加えた縦３×横３個の領域、計９つの領域における気象要素の予測値又は実測値の相乗平均、調和平均、重み付け平均を算出し、この算出した平均の値と、所定のしきい値とを比較する手法を用いてもよい。
【０１９８】
さらに、本実施の形態に係るＤＢＭＳ部１Ｌが気象要素の予測値又は実測値に異常があるか否かを判定するさらに他の手法としては、例えば前述した図２１に示すように、プラント設備の属する領域を中心として、この領域に隣接する８つの領域を加えた領域１〜領域９までの縦３×横３個の領域、計９つの領域のうち、何れか１つの領域における気象要素の予測値又は実測値が、所定のしきい値を上回った場合に気象要素の予測値又は実測値に異常があると判定する手法を用いてもよい。
【０１９９】
ＤＢＭＳ部は、前述した工程ＳＴ２５で気象要素の予測値又は実測値に何らかの異常であると判定した場合（ＳＴ２５：Ｙｅｓ）、読み出した気象要素の予測値と時刻とを対応付けてグラフ表示すると共に、運転履歴記録画面５の表示要求を入力させるための選択釦（ｈ３）と、支援情報の提供要求を入力するための選択釦（ｈ４）とを含む図２２に示すような気象変動予測画面７Ａを表示部１Ｍに表示させる（ＳＴ２６）。
【０２００】
この気象変動予測画面７Ａには、グラフ表示された気象要素の予測値と時刻との組（ｈ１）と、メニュー画面２の選択釦（ｈ２）と、運転履歴記録画面５の選択釦（ｈ３）と、支援情報の提供要求を入力するための選択釦（ｈ４）とが表示されている。
【０２０１】
なお、本実施の形態に係る気象変動予測画面７Ａには、グラフ表示された気象要素の予測値と時刻との組（ｈ１）と、メニュー画面２の選択釦（ｈ２）と、運転履歴記録画面５の選択釦（ｈ３）と、支援情報の提供要求を入力するための選択釦（ｈ４）とが表示されていたが、これに限らず、他の領域における降水量の予測値と時刻との組をグラフ表示させるための選択釦、当該領域における温度、湿度、及び海面更正気圧の予測値と時刻との組をグラフ表示させるための選択釦を別途設けてもよいことは言うまでもない。
【０２０２】
工程ＳＴ２７では、ＤＢＭＳ部１Ｌは、前述した気象変動予測画面７Ａ上でメニュー画面２の選択釦（ｈ２）が選択されることにより、データ入力部１Ｋからメニュー画面２の表示要求が入力されたか否かを判定する。
【０２０３】
ＤＢＭＳ部１Ｌは、この工程ＳＴ２７でメニュー画面２の表示要求が入力されたと判定した場合（ＳＴ２７：Ｙｅｓ）、メニュー画面２のファイルを画面ファイル記憶部１Ｂから読み出す（ＳＴ２８）。
【０２０４】
工程ＳＴ２９では、ＤＢＭＳ部１Ｌは、前述した図２に示すのと同様なメニュー画面２のファイルを表示部１Ｍに表示させる。その後、ＤＢＭＳ部１Ｌは、前述した工程ＳＴ４に移行する。
【０２０５】
一方、ＤＢＭＳ部１Ｌは、前述した工程ＳＴ２７でメニュー画面２の表示要求が入力されていないと判定した場合（ＳＴ２７：Ｎｏ）、後述する工程ＳＴ４０に移行する。
【０２０６】
一方、ＤＢＭＳ部は、前述した工程ＳＴ２０で、気象要素の予測値又は実測値が上々限値よりも小さい値である、換言すれば気象要素の予測値又は実測値に軽度の異常があると判定した場合（ＳＴ２０：Ｎｏ）、気象要素の予測値又は実測値に軽度の異常であることを示すアナウンスを表示させる（ＳＴ３０）。その後、ＤＢＭＳ部１Ｌは、前述した工程ＳＴ２２に移行する。
【０２０７】
一方、ＤＢＭＳ部１Ｌは、前述した工程ＳＴ１９で、気象要素の予測値又は実測値が上限値よりも小さい値であると判定した場合（ＳＴ１９：Ｎｏ）、更に、気象要素の予測値又は実測値が下限値よりも小さい値であるか否か、換言すれば気象要素の予測値又は実測値に軽度の異常であるか否かを判定する（ＳＴ３１）。
【０２０８】
ＤＢＭＳ部１Ｌは、この工程ＳＴ３１で、気象要素の予測値又は実測値が下限値よりも小さい値であると判定した場合、換言すれば気象要素の予測値又は実測値に軽度の異常であると判定した場合（ＳＴ３１：Ｙｅｓ）、更に気象要素の予測値又は実測値が、しきい値の最小値である下下限値よりも小さい値であるか否か、換言すれば気象要素の予測値又は実測値に異常があるか否かを判定する（ＳＴ３２）。
【０２０９】
ＤＢＭＳ部１Ｌは、この工程ＳＴ３１で、気象要素の予測値又は実測値が下下限値よりも小さい値であると判定した場合、換言すれば気象要素の予測値又は実測値に異常があると判定した場合（ＳＴ３２：Ｙｅｓ）、アナウンス情報表示画面６の領域のＩＤに対応する位置の気象要素の予測値又は実測値に異常があることを示すアナウンスを表示する（ＳＴ３３）。これにより、前述したのと同様のアナウンス情報表示画面６が表示される。その後、ＤＢＭＳ部１Ｌは、前述した工程ＳＴ２２に移行する。
【０２１０】
一方、ＤＢＭＳ部１Ｌは、前述した工程ＳＴ３１で、気象要素の予測値又は実測値が下下限値よりは大きい値であると判定した場合、換言すれば気象要素の予測値又は実測値に軽度の異常であると判定した場合（ＳＴ３２：Ｎｏ）、領域のＩＤに対応する位置の気象要素の予測値又は実測値に軽度の異常であることを示すアナウンスを表示させる（ＳＴ３４）。これにより、前述したのと同様のアナウンス情報表示画面６が表示される。その後、ＤＢＭＳ部１Ｌは、前述した工程ＳＴ２２に移行する。
【０２１１】
一方、ＤＢＭＳ部１Ｌは、前述した工程ＳＴ３１で、気象要素の予測値又は実測値が下限値以上の値であると判定した場合、換言すれば気象要素の予測値又は実測値に異常がないと判定した場合（ＳＴ３１：Ｎｏ）、アナウンス情報表示画面６の領域のＩＤに対応する位置の気象要素の予測値又は実測値が正常であることを示すアナウンスを表示する（ＳＴ３５）。これにより、前述したのと同様のアナウンス情報表示画面６が表示される。その後、ＤＢＭＳ部１Ｌは、前述した工程ＳＴ２２に移行する。
【０２１２】
一方、ＤＢＭＳ部１Ｌは、前述した工程ＳＴ２５で、気象要素の予測値又は実測値に何も異常がないと判定した場合（ＳＴ２５：Ｎｏ）、読み出した気象要素の予測値と時刻とを領域毎にグラフ表示すると共に、前述した気象変動予測画面７Ａ上の運転履歴記録画面５の表示要求を入力させるための選択釦（ｈ３）と、支援情報の提供要求を入力するための選択釦（ｈ４）とを含まない後述する気象変動予測画面７Ｂを表示する（ＳＴ３６）。
【０２１３】
図２３は、本実施の形態に係る気象変動予測画面７Ｂの一例を示す模式図である。
【０２１４】
この気象変動予測画面７Ｂは、気象要素の値に異常がない場合に表示される画面であり、前述した図２２に示す気象変動予測画面７Ａに表示されていた運転履歴記録画面５の選択釦（ｈ３）と、支援情報の提供要求を入力するための選択釦（ｈ４）とが表示されていない画面となっている。
【０２１５】
工程ＳＴ３７では、ＤＢＭＳ部１Ｌは、前述した気象変動予測画面７Ｂ上で、メニュー画面２に戻るための選択釦が選択されることにより、前述したメニュー画面２の表示要求が入力されたか否かを判定する。
【０２１６】
ＤＢＭＳ部１Ｌは、この工程ＳＴ３７で、前述したメニュー画面２の表示要求が入力されたと判定した場合（ＳＴ３７：Ｙｅｓ）、前述したメニュー画面２のファイルを画面ファイル記憶部１Ｂから読み出す（ＳＴ３８）。
【０２１７】
次に、ＤＢＭＳ部１Ｌは、前述した図２と同様のメニュー画面２のファイルを表示部１Ｍに表示させる。その後、ＤＢＭＳ部１Ｌは、前述した工程ＳＴ４に移行する。
【０２１８】
一方、ＤＢＭＳ部１Ｌは、前述した工程ＳＴ３７で、前述したメニュー画面２の表示要求が入力されていないと判定した場合（ＳＴ３７：Ｎｏ）、引き続き、当該判定処理を実行する。
【０２１９】
工程ＳＴ４０では、ＤＢＭＳ部１Ｌは、前述した気象変動予測画面７Ａ上で、運転履歴記録画面５の表示要求を入力させるための選択釦（ｈ３）が選択されることにより、前述した運転履歴記録画面５の表示要求が入力されたか否かを判定する。
【０２２０】
ＤＢＭＳ部は、この工程ＳＴ４０で前述した運転履歴記録画面５の表示要求が入力されたと判定した場合（ＳＴ４０：Ｙｅｓ）、前述した工程ＳＴｃ１に移行する。
【０２２１】
一方、ＤＢＭＳ部１Ｌは、前述した運転履歴記録画面５の表示要求が入力されていないと判定した場合（ＳＴ４０：Ｎｏ）、支援情報の提供要求を入力するための選択釦（ｈ４）が選択されることにより、支援情報の提供要求が入力されたか否かを判定する（ＳＴ４１）。
【０２２２】
ＤＢＭＳ部１Ｌは、支援情報の提供要求が入力されたと判定した場合（ＳＴ４１：Ｙｅｓ）、下記の支援情報提供処理（ＳＴｄ）を実行する。
【０２２３】
一方、ＤＢＭＳ部１Ｌは、前述した工程ＳＴ４１で支援情報の提供要求が入力されていないと判定した場合（ＳＴ４１：Ｎｏ）、前述した工程ＳＴ４０に移行する。
【０２２４】
以下、本実施の形態に係るＤＢＭＳ部１Ｌが実行する支援情報提供処理（ＳＴｄ）の一例に関し、図を用いて説明する。
【０２２５】
＜支援情報提供処理：ＳＴｄ＞
始めに、ＤＢＭＳ部１Ｌは、画面ファイル記憶部１Ｂから、後述するプラント運転履歴検索画面８のファイルを読み出す（ＳＴｄ１）。
【０２２６】
次に、ＤＢＭＳ部１Ｌは、図２４に示すようなプラント運転履歴検索画面８のファイルを表示部１Ｍに表示させる（ＳＴｄ２）。
【０２２７】
図２２は、本実施の形態に係るプラント運転履歴検索画面８の一例を示す模式図である。
【０２２８】
このプラント運転操作履歴検索画面８には、履歴番号の設定欄（ｌ１）と、記録開始時刻の設定欄（ｌ２）と、記録終了時刻の設定欄（ｌ３）と、記録開始時刻と記録終了時刻の確認入力用の期間の設定欄（ｌ４）と、履歴タググループ番号の設定欄（ｌ５）と、履歴記録条件番号の設定欄（ｌ６）と、検索釦（ｌ７）とが設けられている。
【０２２９】
このプラント運転履歴検索画面８では、履歴番号、記録開始時刻、記録終了時刻、期間、履歴タググループ番号、及び履歴記録条件番号が設定された上で、検索釦が画面上で選択された場合に、データ入力部１Ｋから、記録開始時刻、記録終了時刻、履歴タググループ番号、及び履歴記録条件番号と、後述する履歴トレンド表示画面９の表示要求との組が入力される構成となっている。
【０２３０】
図２５は、本実施の形態に係るプラント運転履歴検索画面８´の他の一例を示す模式図である。
【０２３１】
このプラント運転履歴検索画面８´では、履歴番号の設定欄（ｌ１）、記録開始時刻の設定欄（ｌ２）、記録終了時刻の設定欄（ｌ３）、履歴タググループ番号の設定欄（ｌ５）、条件式の設定欄（ｌ６）、異常判定のためのしきい値の設定欄（ｌ８）がそれぞれ設けられている。
【０２３２】
このプラント運転履歴検索画面８´では、履歴番号（ｌ１）、記録開始時刻の設定欄（ｌ２）、記録終了時刻の設定欄（ｌ３）、履歴タググループ番号（ｌ５）、条件式の設定欄（ｌ６）、異常判定のためのしきい値の設定欄（ｌ８）が選択された場合に、オペレータに入力ミスの確認を促す観点から、条件式としきい値とから構成される検索条件式の表示をする欄（ｌ９）と、当該表示された検索条件式を満たすプラント設備の運転履歴を検索を実行させるための検索釦（ｌ７）が設けられている。
【０２３３】
工程ＳＴｄ３では、ＤＢＭＳ部１Ｌは、前述したプラント運転履歴検索画面８上で、履歴番号、記録開始時刻、記録終了時刻、期間、履歴タググループ番号、履歴記録条件番号、及び検索釦が選択されることにより、履歴番号、記録開始時刻、記録終了時刻、履歴タググループ番号、及び履歴記録条件番号と、後述する履歴トレンド表示画面９の表示要求との組が入力されたか否かを判定する。
【０２３４】
ＤＢＭＳ部１Ｌは、この工程ＳＴｄ３で履歴番号、記録開始時刻、記録終了時刻、履歴タググループ番号、及び履歴記録条件番号と、後述する履歴トレンド表示画面９の表示要求との組が入力されたと判定した場合（ＳＴｄ３：Ｙｅｓ）、記録開始時刻と記録終了時刻との相異なる異常発生時刻で指定される指定期間と、履歴番号、履歴タググループ番号、及び履歴記録条件番号（異常種別識別情報）とに対応するセンサＩＤ、プロセス値、気象要素の種別、予測値フラグ、気象要素の予測値又は実測値（異常値）、及びコメント、換言すれば指定期間内における全ての異常値と支援情報であるコメントとを支援情報ＤＢ１Ｊから読み出す（ＳＴｄ４：支援情報読み出し手段）。
【０２３５】
次に、ＤＢＭＳ部１Ｌは、後述する履歴トレンド表示画面９のファイルを画面ファイル記憶部１Ｂから読み出す（ＳＴｄ５）。
【０２３６】
次に、ＤＢＭＳ部１Ｌは、読み出したセンサＩＤ、プロセス値、気象要素の種別、予測値フラグ、気象要素の予測値又は実測値（異常値）、すなわち、指定期間内における気象要素の予測値又は実測値と、指定期間内の各異常発生時刻とを対応させたグラフ表示と、支援情報であるコメントとを対応させて表示部１Ｍに表示させる（ＳＴｄ６：表示制御手段）。
【０２３７】
これにより、表示部１Ｍには、図２６に示すような履歴トレンド表示画面９が表示される（支援情報表示手段）。
【０２３８】
この履歴トレンド表示画面９では、気象要素の予測値又は実測値及びプロセス値の時系列に沿ったグラフ（ｍ１）と、プラント設備の運転操作に関する支援情報としてのコメントの表示欄（ｍ２）と、前述したメニュー画面２に戻るための選択釦（ｍ３）と、支援情報表示装置１の動作を終了させるための終了要求を入力するための選択釦（ｍ４）とが表示されている。
【０２３９】
一方、ＤＢＭＳ部は、前述した工程ＳＴｄ３で、履歴番号、記録開始時刻、記録終了時刻、履歴タググループ番号、及び履歴記録条件番号と、履歴トレンド表示画面９の表示要求との組が入力されていないと判定した場合（ＳＴｄ３：Ｎｏ）、引き続き、当該判定処理を実行する。
【０２４０】
以上のような一連の処理により、ＤＢＭＳ部１Ｌは、支援情報提供処理（ＳＴｄ）を終了した後、後述するＳＴ４０に移行する。
【０２４１】
工程ＳＴ４２では、ＤＢＭＳ部１Ｌは、履歴トレンド表示画面９上で前述したメニュー画面２に戻るための選択釦（ｍ３）が選択されることにより、メニュー画面２の表示要求が入力されたか否かを判定する。
【０２４２】
ＤＢＭＳ部１Ｌは、この工程ＳＴ４２でメニュー画面２の表示要求が入力されたと判定した場合（ＳＴ４２：Ｙｅｓ）、前述した工程ＳＴ２に移行する。これにより、表示部１Ｍには、前述したのと同様のメニュー画面２が表示される。
【０２４３】
一方、ＤＢＭＳ部１Ｌは、前述した工程ＳＴ４２でメニュー画面２の表示要求が入力されていないと判定した場合（ＳＴ４２：Ｎｏ）、前述した工程ＳＴ１１に移行する。
【０２４４】
以上のような一連の処理により、支援情報表示装置１のＤＢＭＳ部１Ｌは、動作を終了する。
【０２４５】
上述したように本実施の形態によれば、ＤＢＭＳ部１Ｌにより気象要素の予測値又は実測値に異常が発生したと判定した場合に、外部から入力された履歴番号に対応する支援情報と気象要素の予測値又は実測値とがＤＢＭＳ部１Ｌにより支援情報ＤＢ１Ｊから読み出され、読み出された支援情報、及び気象要素の予測値又は実測値と時刻とがＤＢＭＳ部１Ｌにより表示部１Ｍに表示されるので、気象要素の予測値又は実測値に異常が発生した場合に、プラント設備の運転操作に関する支援情報をオペレータに提供することが出来る。
【０２４６】
本実施の形態によれば、気象要素に異常が発生した場合に、プラント設備をどのように運転していたかに関する支援情報としてのコメントが表示されるので、気象要素の値に異常が発生した場合におけるプラント設備の定性的解析及び定量的解析に関し、一助となる情報を提供することが出来る。
【０２４７】
本実施の形態によれば、第１の記録条件ＤＢと第２の記録条件ＤＢとに合致した気象要素の予測値又は実測値、履歴番号、履歴タググループ番号、履歴条件記録番号、及びコメントを支援情報ＤＢに記憶させるので、気象情報ＤＢに記憶された全データを検索する場合と比較して短時間で、支援情報をオペレータに提供することが出来る。
【０２４８】
なお、上記一実施の形態に記載した手法は、コンピュータに実行させることの出来るプログラムとして、磁気ディスク（フレキシブルディスク、ハードディスクなど）、光ディスク（ＣＤ−ＲＯＭ、ＤＶＤなど）、光磁気ディスク（ＭＯ）、半導体メモリなどの記憶媒体に格納して頒布することができる。
【０２４９】
また、この記憶媒体としては、プログラムを記憶でき、かつコンピュータが読み取り可能な記憶媒体であれば、その記憶形式は、何れの形態であっても良い。
【０２５０】
また、記憶媒体からコンピュータにインストールされたプログラムの指示に基づきコンピュータ上で稼動しているＯＳ（オペレーティングシステム）や、データベース管理ソフト、ネットワークソフト等のＭＷ（ミドルウェア）等が本発明の実施の形態を実現するための各処理の一部を実行しても良い。
【０２５１】
さらに、本発明の実施の形態における記憶媒体は、コンピュータと独立した媒体に限らず、ＬＡＮやインターネット等により伝送されたプログラムをダウンロードして記憶または一時記憶した記憶媒体も含まれる。
【０２５２】
また、記憶媒体は１つに限らず、複数の媒体から本発明の実施の形態における処理が実行される場合も本発明の実施の形態における記憶媒体に含まれ、媒体構成は何れの構成で有っても良い。
【０２５３】
なお、本発明におけるコンピュータは、記憶媒体に記憶されたプログラムに基づき、本実施の形態における各処理を実行するものであって、パソコン等の１つからなる装置、複数の装置がネットワーク接続されたシステム等の何れの構成であっても良い。
【０２５４】
また、本発明におけるコンピュータとは、パソコンに限らず、情報処理機器に含まれる演算処理装置、マイコン等も含み、プログラムによって本発明の機能を実現することが可能な機器、装置を総称している。
【０２５５】
なお、上記一実施の形態に記載した手法を実現するプログラムは、通信ネットワーク、例えばインターネット又はイントラネット若しくはイーサーネットを介して送信することによって提供することも出来る。
【０２５６】
この通信ネットワークを介したプログラムの提供方法としては、例えば、ＡＳＰ（Application  Service  Provider）によるものを包含する。
【０２５７】
また、プログラムは、上記の機能を実現するものであれば、例えば、Ｃ（登録商標）、Ｃ++（登録商標）、又はＪＡＶＡ（登録商標）等、どのようなプログラミング言語で記載されたものであっても良い。
【０２５８】
また、本発明は、上述した各機能を実現するプログラムを構成するのに必要不可欠なデータ構造、加工用プログラム、及び上記加工用プログラムが機能する各種ハードウェアを包含する。
【０２５９】
なお、この発明は、上記一実施の形態そのままに限定されるものではなく、実施段階ではその要旨を逸脱しない範囲で構成要素を変形して具体化出来る。また、上記一実施の形態に開示されている複数の構成要素の適宜な組み合せにより種々の発明を形成出来る。例えば、実施の形態に示される全構成要素から幾つかの構成要素を削除してもよい。
【図面の簡単な説明】
【０２６０】
【図１】本発明の一実施の形態に係る支援情報表示装置１の機能ブロック図。
【図２】本実施の形態に係る気象情報ＤＢ１Ｄのデータ構成の一例を示す模式図。
【図３】本実施の形態に係るプロセス値ＤＢ１Ｆのデータ構成の一例を示す模式図。
【図４】本実施の形態に係る第１の記録条件ＤＢ１Ｈのデータ構成の一例を示す模式図。
【図５】本実施の形態に係る第２の記録条件ＤＢ１Ｉのデータ構成の一例を示す模式図。
【図６】本実施の形態に係る支援情報ＤＢ１Ｊのデータ構成の一例を示す模式図。
【図７】本実施の形態に係る支援情報表示装置１の有するＤＢＭＳ部１Ｌの動作を説明するためのフローチャート。
【図８】本実施の形態に係る支援情報表示装置１の有するＤＢＭＳ部１Ｌの動作を説明するためのフローチャート。
【図９】本実施の形態に係る支援情報表示装置１の有するＤＢＭＳ部１Ｌの動作を説明するためのフローチャート。
【図１０】本実施の形態に係る支援情報表示装置１の有するＤＢＭＳ部１Ｌの動作を説明するためのフローチャート。
【図１１】本実施の形態に係る支援情報表示装置１の有するＤＢＭＳ部１Ｌの動作を説明するためのフローチャート。
【図１２】本実施の形態に係る支援情報表示装置１の有するＤＢＭＳ部１Ｌの動作を説明するためのフローチャート。
【図１３】本実施の形態に係る支援情報表示装置１の有するＤＢＭＳ部１Ｌの動作を説明するためのフローチャート。
【図１４】本実施の形態に係る支援情報表示装置１の有するＤＢＭＳ部１Ｌの動作を説明するためのフローチャート。
【図１５】本実施の形態に係る支援情報表示装置１の有するＤＢＭＳ部１Ｌの動作を説明するためのフローチャート。
【図１６】本実施の形態に係るメニュー画面２の一例を示す模式図。
【図１７】本実施の形態に係る履歴タググループ登録画面３の一例を示す模式図。
【図１８】本実施の形態に係る履歴記録条件登録画面４の一例を示す模式図。
【図１９】本実施の形態に係る運転履歴記録画面５の一例を示す模式図。
【図２０】本実施の形態に係るアナウンス情報表示画面６の一例を示す模式図。
【図２１】本実施の形態に係るＤＢＭＳ部１Ｌが気象要素の実測値又は予測値に異常であるか否かを判定する手法の一例を説明するための模式図。
【図２２】本実施の形態に係る気象変動予測画面７Ａの一例を示す模式図。
【図２３】本実施の形態に係る気象変動予測画面７Ｂの一例を示す模式図。
【図２４】本実施の形態に係るプラント運転履歴検索画面８の一例を示す模式図。
【図２５】本実施の形態に係るプラント運転履歴検索画面８の他の一例を示す模式図。
【図２６】本実施の形態に係る履歴トレンド表示画面９の一例を示す模式図。
【符号の説明】
【０２６１】
１…支援情報表示装置、１Ａ…地図情報ＤＢ、１Ｂ…画面ファイル記憶部、１Ｃ…気象情報受信部、１Ｄ…気象情報ＤＢ、１Ｅ…プロセス値受信部、１Ｆ…プロセス値ＤＢ、１Ｇ…しきい値データ記憶部１Ｇ、１Ｈ…第１の記録条件ＤＢ１Ｊ、１Ｉ…第２の記録条件ＤＢ、１Ｊ…支援情報ＤＢ、１Ｋ…データ入力部、１Ｌ…ＤＢＭＳ部、１Ｍ…表示部
【図１】
2005157683.tif 000003
【図２】
2005157683.tif 000004
【図３】
2005157683.tif 000005
【図４】
2005157683.tif 000006
【図５】
2005157683.tif 000007
【図６】
2005157683.tif 000008
【図７】
2005157683.tif 000009
【図８】
2005157683.tif 000010
【図９】
2005157683.tif 000011
【図１０】
2005157683.tif 000012
【図１１】
2005157683.tif 000013
【図１２】
2005157683.tif 000014
【図１３】
2005157683.tif 000015
【図１４】
2005157683.tif 000016
【図１５】
2005157683.tif 000017
【図１６】
2005157683.tif 000018
【図１７】
2005157683.tif 000019
【図１８】
2005157683.tif 000020
【図１９】
2005157683.tif 000021
【図２０】
2005157683.tif 000022
【図２１】
2005157683.tif 000023
【図２２】
2005157683.tif 000024
【図２３】
2005157683.tif 000025
【図２４】
2005157683.tif 000026
【図２５】
2005157683.tif 000027
【図２６】
2005157683.tif 000028